(57)【要約】  冷間プレス成形装置は、温度センサと、熱媒体流路と、熱媒体を熱媒体流路に供給する熱媒体供給流路と、熱媒体流路から熱媒体を回収する熱媒体回収流路と、熱媒体を熱媒体供給流路へ送るポンプを備える。更に冷間プレス成形装置は、温度センサの検出値を基に熱媒体を加熱又は冷却する温度調整部を有し、ダイとパンチの少なくとも一方の温度を、予め定めた下限値から上限値までの範囲から外れないように制御する温度制御部を備える。
2019044764.tif 000002
【特許請求の範囲】
【請求項１】
被加工材をプレス加工するダイとパンチを備えた冷間プレス成形装置であって、
前記ダイと前記パンチの少なくとも一方の内部に設けられた熱媒体流路と、
熱媒体を前記熱媒体流路に供給する熱媒体供給流路と、
前記熱媒体流路から熱媒体を回収する熱媒体回収流路と、
前記熱媒体を前記熱媒体供給流路へ送るポンプと、
前記熱媒体を加熱又は冷却する温度調整部を有し、前記ダイと前記パンチの少なくとも一方の温度を、予め定めた下限値から上限値までの範囲から外れないように制御する温度制御部と、
を備えることを特徴とした、冷間プレス成形装置。
【請求項２】
前記ダイと前記パンチの少なくとも一方の温度情報を検出する温度センサを備え、
前記温度調整部は、前記温度センサの検出値を基に前記熱媒体を加熱又は冷却することを特徴とした、請求項１に記載の冷間プレス成形装置。
【請求項３】
前記温度センサは、
前記ダイ、前記パンチの温度を測定する温度センサ、前記熱媒体の温度を測定する温度センサ、前記熱媒体の温度差を測定する温度センサのいずれか、又は、これらの組合わせであることを特徴とした、請求項２に記載の冷間プレス成形装置。
【請求項４】
前記温度制御部は、前記温度調整部に加え、前記熱媒体の流量を増減する流量調整部を備えることを特徴とした、請求項１に記載の冷間プレス成形装置。
【請求項５】
請求項２に記載の冷間プレス成形装置を用いた冷間プレス成形方法であって、
前記ダイと前記パンチの少なくとも一方の温度情報を検出する工程と、
前記熱媒体を前記熱媒体供給流路へ送るポンプを駆動する工程と、
前記検出した温度を予め定めた温度下限値、温度上限値と比較して、前記温度下限値以下なら前記熱媒体を加熱し、前記温度上限値以上なら前記熱媒体を冷却する工程と、
を有し、
前記冷間プレス成形装置の前記ダイと前記パンチの少なくとも一方の温度を制御することを特徴とした、冷間プレス成形方法。
【請求項６】
前記検出した温度に応じて前記熱媒体の流量を増減する工程を更に有することを特徴とした、請求項５に記載の冷間プレス成形方法。
【発明の詳細な説明】
【技術分野】
【０００１】
本発明は、冷間プレス成形装置及び冷間プレス成形方法に関する。
【背景技術】
【０００２】
近年のラジアルニードル軸受やスラストニードル軸受の製造においては、内外輪の高精度化や高速加工化の要求と、製造効率向上の要求が厳しくなっている。ラジアルニードル軸受やスラストニードル軸受の内外輪のなかには、被加工材をプレス機により絞り加工して成形されるものがある。【０００３】
図８（Ａ），（Ｂ），（Ｃ）は、このようなプレス絞り加工で成形される軸受外輪の製造方法の一例を示す工程説明図である。
図８（Ａ）に示すように、直径がプレス絞り加工後の軸受外輪の内径よりもわずかに小径のパンチ８１と、内径がプレス絞り加工後の軸受外輪の外径よりもわずかに大径のダイ８２とが、それぞれ同軸に配設されたプレス機において、パンチ８１とダイ８２との間に被加工材Ｗをセットする。図８（Ｂ）に示すように、パンチ８１を、被加工材Ｗがダイ８２に押し込まれるように下降させる。この時、被加工材Ｗは、パンチ８１とダイ８２との間の空間に倣った形状に塑性変形する。そして、図８（Ｃ）に示すように、パンチ８１を上昇させ、被加工材Ｗを取り出す。【０００４】
このようなプレス絞り加工においては、様々な要因によって熱が発生する。即ち、被加工材が塑性変形する際に発生する内部摩擦熱（ＨＡ）、被加工材と工具が接触することにより発生する外部摩擦熱（ＨＢ）、プレス機内雰囲気(環境)による発熱（ＨＣ）、塑性変形をさせる際に被加工材と工具が接触することにより発生する熱（ＨＤ）を抑制するために用いる潤滑剤自体の熱（ＨＥ）、プレス機自体が動作することにより発生する設備からの熱（ＨＦ）等が発生する。【０００５】
これら各種の熱（ＨＡ，ＨＢ，ＨＣ，ＨＤ，ＨＥ）の発生により、パンチとダイ等の一対の工具に挟まれた被加工材は、一対の工具が熱の影響を受けて、設定された工具間のすき間（クリアランス）を維持できなくなる。すると、場合によっては、加工されたプレス品の寸法が当初設定した寸法とは異なってしまうことが生じ得る。また、工具の熱膨張、熱収縮の他に、被加工材自体の熱膨張、熱収縮によってもクリアランスは変化し、プレス製品が当初設定した寸法と異なる寸法になってしまうことがある。参考までに、金型温度が、プレス加工品の寸法に及ぼす影響のイメージを表１に示す。【０００６】
【表１】
2019044764.tif 000003
【０００７】
このような加工寸法のばらつきに対して、例えば次のようにして適正な寸法に収めていた。即ち、ラジアルニードル軸受やスラストニードル軸受の転動体であるニードルローラーを、直径がミクロン単位で異なる複数種類用意しておき、軸受内外輪の寸法に合わせてセレクトマッチングによって対応させる。また、複数のダイや複数のパンチを用意しておき、適宜に交換する。さらには、成形面のサイズが異なる複数のダイや複数のパンチを用意しておき、セレクトマッチングにより対応させる。【０００８】
一方、プレス成形において、高い加工精度を得るための技術として、被加工材を予め高温に熱して軟化させてプレス加工する熱間プレス成形に係る技術が知られている。熱間プレス成形では、被加工材、例えば鋼板をオーステナイト組織が現れる温度以上に加熱した状態でプレス加工する。この場合、鋼板が柔らかいので、板厚が厚くても、成形形状が複雑でも、割れなどが起こり難く、精密な形状を加工しやすい。また、成形の際、被加工材が金型と接触することによる冷却を利用してマルテンサイト変態を引き起こし、焼入れを実施する。その場合のマルテンサイト変態は、ほぼ成形が完了した後の組織変態のため、成形時に生じる残留応力が少なく、スプリングバックが生じ難く、遅れ破壊の心配が少ないという特徴がある。このような熱間プレス成形では、成形後に急冷させることが重要で、急冷のための様々な技術が知られている。例えば、特許文献１には、成形面に冷却媒体を噴出する噴出孔を設け、被加工材に向かって冷却媒体を噴出して被加工材を冷却することが可能な熱間プレス用金型を、薄板の積層により安価に構成する技術が開示されている。
【先行技術文献】
【特許文献】
【０００９】
【特許文献１】日本国特開２００９−２９７７４１号公報
【発明の概要】
【発明が解決しようとする課題】
【００１０】
しかしながら、特許文献１の技術では、高精度といえども、ミクロン単位の精度を要求される軸受内外輪へ適用するには、まだ難しい。更なる高精度が実現される熱間プレス成形の技術であっても、加熱に要する加熱炉、あるいは、加熱装置などが必用となり、装置自体が複雑で大掛かりになり、工程も複雑になる。また、ラジアルニードル軸受やスラストニードル軸受の内外輪の成形に用いるには、加工コストが掛かりすぎる。
また、意図的に数ミクロン単位の寸法の異なるラジアルニードル軸受やスラストニードル軸受の内外輪を作成しようとすると、各々の寸法に合ったダイとパンチが必要であった。【００１１】
本発明は、被加工材を熱することなく常温でプレス成形する冷間プレス加工において、パンチ、ダイの温度を制御することによってパンチ、ダイの寸法を管理し、プレス加工品の寸法精度を向上させることができる冷間プレス成形装置及び冷間プレス成形方法の提供を目的とする。
また、被加工材を熱することなく常温でプレス成形する冷間プレス加工において、パンチ、ダイの温度を制御することによってパンチ、ダイの寸法を管理し、必要な寸法のラジアルニードル軸受やスラストニードル軸受の内外輪を作成することが可能な冷間プレス成形装置及び冷間プレス成形方法の提供を目的とする。
【課題を解決するための手段】
【００１２】
本発明は下記の構成からなる。
（１）  被加工材をプレス加工するダイとパンチを備えた冷間プレス成形装置であって、
前記ダイと前記パンチの少なくとも一方の内部に設けられた熱媒体流路と、
熱媒体を前記熱媒体流路に供給する熱媒体供給流路と、
前記熱媒体流路から熱媒体を回収する熱媒体回収流路と、
前記熱媒体を前記熱媒体供給流路へ送るポンプと、
前記熱媒体を加熱又は冷却する温度調整部を有し、前記ダイと前記パンチの少なくとも一方の温度を、予め定めた下限値から上限値までの範囲から外れないように制御する温度制御部と、
を備えることを特徴とした、冷間プレス成形装置。
（２）  前記ダイと前記パンチの少なくとも一方の温度情報を検出する温度センサを備え、
前記温度調整部は、前記温度センサの検出値を基に前記熱媒体を加熱又は冷却することを特徴とした、（１）に記載の冷間プレス成形装置。
（３）  前記温度センサは、
前記ダイ、前記パンチの温度を測定する温度センサ、前記熱媒体の温度を測定する温度センサ、前記熱媒体の温度差を測定する温度センサのいずれか、又は、これらの組合わせであることを特徴とした、（２）に記載の冷間プレス成形装置。
（４）  前記温度制御部は、前記温度調整部に加え、前記熱媒体の流量を増減する流量調整部を備えることを特徴とした、（１）に記載の冷間プレス成形装置。
（５）  （２）に記載の冷間プレス成形装置を用いた冷間プレス成形方法であって、
前記ダイと前記パンチの少なくとも一方の温度情報を検出する工程と、
前記熱媒体を前記熱媒体供給流路へ送るポンプを駆動する工程と、
前記検出した温度を予め定めた温度下限値、温度上限値と比較して、前記温度下限値以下なら前記熱媒体を加熱し、前記温度上限値以上なら前記熱媒体を冷却する工程と、
を有し、
前記冷間プレス成形装置の前記ダイと前記パンチの少なくとも一方の温度を制御することを特徴とした、冷間プレス成形方法。
（６）  前記検出した温度に応じて前記熱媒体の流量を増減する工程を更に有することを特徴とした、（５）に記載の冷間プレス成形方法。
【発明の効果】
【００１３】
本発明によれば、ダイやプレスなどのプレス工具の温度を制御することによってプレス工具の寸法を管理し、これにより、プレス加工品の寸法精度を向上させることができる。
さらには、パンチ、ダイの温度を制御することによってパンチ、ダイの寸法を管理できるので、必要な寸法のラジアルニードル軸受やスラストニードル軸受の内外輪を作成することができる。
【図面の簡単な説明】
【００１４】
【図１】本発明の第１実施形態に係る冷間プレス成形装置の温度制御の様子を示すブロック構成図である。
【図２】（Ａ）はダイとパンチの概略構成を示す断面図、（Ｂ）は（Ａ）に示すダイの平面図である。
【図３】各種の温度センサの配置形態を示す説明図である。
【図４】ダイ及びパンチの温度を制御する温度制御部の機能ブロック図である。
【図５】温度制御部の動作を説明するフローチャートである。
【図６】ダイのみを温度制御する場合の冷間プレス加工部の概略構成図である。
【図７】パンチのみを温度制御する場合の冷間プレス加工部の概略構成図である。
【図８】（Ａ）〜（Ｃ）は従来の冷間プレス加工で成形される軸受外輪の製造方法の一例である。
【発明を実施するための形態】
【００１５】
以下、本発明の実施形態について、図面を参照して詳細に説明する。
図１は、本発明の実施形態に係る冷間プレス成形装置の温度制御の様子を示すブロック構成図、図２（Ａ）はダイとパンチの概略構成を示す断面図、図２（Ｂ）は図２（Ａ）に示すダイの平面図である。
【００１６】
冷間プレス成形装置１００は、被加工材をプレス加工するダイ１１とパンチ１３を備える。具体的には、冷間プレス加工部１５と、ダイ側温度センサ１７と、パンチ側温度センサ１９と、温度制御部２１と、ダイ側熱媒体供給流路２５ａ及びダイ側熱媒体回収流路２５ｃと、パンチ側熱媒体供給流路２５ｂ及びパンチ側熱媒体回収流路２５ｄと、を備える。
冷間プレス加工部１５は、その内部にダイ側流路（熱媒体流路）２６が設けられたダイ１１及び内部にパンチ側流路（熱媒体流路）２８が設けられたパンチ１３を備える。
ダイ側温度センサ１７は、ダイ１１の温度を測定し、パンチ側温度センサ１９は、パンチ１３の温度を測定する。
ダイ側熱媒体供給流路２５ａ及びダイ側熱媒体回収流路２５ｃは、詳細を後述する温度制御部２１の図示していないダイ側タンクからダイ１１のダイ側流路２６に延びて設けられる。
パンチ側熱媒体供給流路２５ｂ及びパンチ側熱媒体回収流路２５ｄは、温度制御部２１の図示していないパンチ側タンクからパンチ１３のパンチ側流路２８に延びて設けられる。
【００１７】
ダイ側流路２６は、図２（Ａ），（Ｂ）に示す下側の環状流路２６ａと、上側の環状流路２６ｂと、環状流路２６ａ，２６ｂを連通する連通流路２６ｃとを有する。また、環状流路２６ａには流入口２６ｄ、環状流路２６ｂには流出口２６ｅが形成される。パンチ側流路２８には、ダイ１１側とは反対の基端側に流入口２８ａと流出口２８ｂが形成され、パンチ１３の内部に連通流路２８ｃが形成される。
【００１８】
ダイ側流路２６、パンチ側流路２８の断面形状は、円、四角、三角、Ｒ形状等、適宜な形状を選択できる。一般的に、表面積が大きいほど熱交換しやすくなるが、断面積を大きくしすぎるとダイ１１やパンチ１３の剛性が低下し、プレス加工品の寸法バラツキに影響する。そのため、熱交換能力と強度とのバランスを考慮してダイ側流路２６、パンチ側流路２８の形状が決定される。また、各流路は、ダイ１１、パンチ１３を複数のブロックで構成することにより、ブロック間の合わせ目に設けたり、合わせ目から加工したりするなどの各種公知の方法で形成できる。
【００１９】
熱媒体としては、水や油、エチレングリコール等の液体、フロンガスや空気等の気体の使用が可能である。なお、上記したダイ側流路２６、パンチ側流路２８の構成は一例であって、ダイ１１、パンチ１３の加工部を効果的に温度調整できる配置であれば、熱交換効率や型材の強度等に応じて適宜変更が可能である。例えば、図２（Ａ）の流出口２６ｅを流入口とし、流入口２６ｄを流出口としてもよい。また、流入口、流出口は、各々複数であってもよいし、環状流路も複数であってもよい。また、環状流路は環状で無くてもよい。
【００２０】
ダイ側温度センサ１７及びパンチ側温度センサ１９としては、ダイ１１及びパンチ１３の温度を外部から測定可能な非接触式のセンサ、例えば放射温度計等が使用可能である。測定位置としては、ダイ１１、パンチ１３の成形面の温度を測定するのが望ましい。ダイ１１の成形面は、内径面であるので測定は難しいが、パンチ１３の成形面は、パンチ１３の外周面であるので非接触の温度センサを用いて加工直後の温度を計測可能である。具体的には、加工直後に上昇してきたパンチ１３の外周面を非接触の温度センサにより測定すればよい。
【００２１】
また、ダイ１１及びパンチ１３の内部に埋め込まれる接触式のセンサ、例えば熱電対等も使用可能である。その場合、成形面そのものの温度ではなく、ほぼ同じ温度である近くの温度を代用することになる。しかし、必用なのは、ダイ１１、パンチ１３の各々の成形面が、現在熱膨張、収縮により、どのような寸法になっているかを推定するための温度情報であるので、ダイ１１、パンチ１３の構成、大きさ、使用環境などに応じて測定位置は、適宜選択すればよい。
【００２２】
さらには、熱媒体の温度からダイ１１、パンチ１３の温度を推定してもよい。任意の位置での熱媒体の温度をダイ側温度センサ１７及びパンチ側温度センサ１９で測定してダイ１１、パンチ１３の温度を推定してもよい。また、流入口２６ｄ付近の熱媒体温度と流出口２６ｅ付近の熱媒体温度との差をダイ側温度センサ１７で測定し、流入口２８ａ付近の熱媒体温度と流出口２８ｂ付近の熱媒体温度との差をパンチ側温度センサ１９で測定してダイ１１、パンチ１３の温度を推定してもよい。
【００２３】
また、上述した理由により、温度センサ（ダイ側温度センサ１７及びパンチ側温度センサ１９）を、より加工発生源に近い部分へ取り付けることで、金型の温度変化に対してリニアな関係を有する測定が可能となる。例えば、金型（ダイ１１、パンチ１３、その他構成部品）の表面に窪み等を設け、この窪み内で保護された状態で上記の温度センサを、貼り付け、挟み込み、接着等により取り付ける。その場合、金型内部に温度センサが埋め込まれるため、金型表面に温度センサを設けた構成よりも、更に正確な温度測定が可能になる。また、金型の加工面の中で、加工時に作用する応力が低い部分に限定して、内部に温度センサを組み込んだ構造にすることで、金型としての機能を損なわずに高精度な温度測定が可能となる。よって、加工時の温度を高精度に制御して、プレス工具の寸法を管理して、プレス加工品の寸法精度を向上できる。
【００２４】
図３は各種の温度センサの配置形態を示す説明図である。
温度センサを貼り付けにより取り付ける場合、より具体的には、図３に示すように配置できる。即ち、ダイ１１の非加工面となる上面３１又は側面３３にダイ側温度センサ１７Ａ，１７Ｂを貼り付けるのが好ましい。また、パンチ１３の非加工面となる、ワーク加工面（図３の高さＬｗの範囲内の外周面）よりも上側の側面３５に、パンチ側温度センサ１９Ａを貼り付けるのが好ましい。その場合でも、上記した効果を得ることができる。
【００２５】
また、温度センサを埋め込んで取り付ける場合、ダイ１１側の側面３３からダイ側流路２６の中間地点Ｐ１に近い位置まで穴開け加工し、加工された穴３９内にダイ側温度センサ１７Ｃを埋め込むのが好ましい。また、パンチ上面３７からパンチ側流路２８の中間地点Ｐ２に近く、パンチ側流路２８に囲まれた位置まで穴開け加工し、加工された穴４１内にパンチ側温度センサ１９Ｂを埋め込むのが好ましい。この場合でも、上記した効果を得ることができる。
【００２６】
上記した各温度センサは、ダイ１１側とパンチ１３側のそれぞれで複数個の温度センサを設けた形態であってもよく、上記した各配置形態を適宜組み合わせた形態としてもよい。
【００２７】
本実施形態に記載された金型に用いられる材質は、熱伝導率、及び耐摩耗性の観点から、鉄、鋼、超硬合金、セラミックス等の金型材料が望ましい。また、温度センサを設けた後、金型表面にＴｉＣ、ＴｉＣＮ等のコーティングを付与することができる。金型表面にコーティングを付与した場合でも、上記した効果への影響はない。
【００２８】
図４はダイ１１及びパンチ１３の温度を制御する温度制御部２１の機能ブロック図である。
温度制御部２１は、温度調整部５１と流量調整部５３を備える。ダイ１１のダイ側流路２６、及びパンチ１３のパンチ側流路２８に供給する熱量を、熱媒体の温度及び流量をそれぞれ個別に制御することで、ダイ１１及びパンチ１３の温度が管理可能となっている。
【００２９】
温度調整部５１は、ダイ１１に供給する熱媒体を加熱するダイ側ヒータ６１、ダイ１１に供給する熱媒体を冷却するダイ側クーラ６３と、パンチ１３に供給する熱媒体を加熱するパンチ側ヒータ６５と、パンチ１３に供給する熱媒体を冷却するパンチ側クーラ６７とに接続される。
【００３０】
ダイ側ヒータ６１と、ダイ側クーラ６３は、前述の図示していないダイ側タンクに取り付けられており、パンチ側ヒータ６５と、パンチ側クーラ６７は、前述の図示していないパンチ側タンクに取り付けられている。
【００３１】
温度調整部５１は、ダイ側温度センサ１７やパンチ側温度センサ１９からの温度検出値を基に、接続された各ヒータ６１，６５又は各クーラ６３，６７に駆動信号を出力する。これにより、各ヒータ６１，６５又は各クーラ６３，６７を駆動させ、ダイ１１やパンチ１３に供給されるタンク内の熱媒体を個別に加熱又は冷却する。
【００３２】
流量調整部５３は、ダイ側熱媒体供給流路２５ａを通じてダイ１１のダイ側流路２６にダイ側タンク中の熱媒体を送るダイ側ポンプ７１と、パンチ側熱媒体供給流路２５ｂを通じてパンチ１３のパンチ側流路２８にパンチ側タンク中の熱媒体を送るパンチ側ポンプ７３とに接続される。流量調整部５３は、ダイ側ポンプ７１に駆動信号Ｓｄ、パンチ側ポンプ７３に駆動信号Ｓｐを出力し、ダイ側ポンプ７１とパンチ側ポンプ７３を駆動して、ダイ１１やパンチ１３に供給する熱媒体の流量を個別に調整する。
【００３３】
また、温度調整部５１と流量調整部５３には、ダイ側の温度センサ１７からの検出温度信号Ｔｄ、及びパンチ側温度センサ１９からの検出温度信号Ｔｐが入力される。
【００３４】
温度調整部５１は、予め設定されたパンチ温度下限値Ｔ１、パンチ温度上限値Ｔ２、ダイ温度下限値Ｔ３、ダイ温度上限値Ｔ４を記憶しており、入力された検出温度信号Ｔｄ、Ｔｐを各々の温度上限値、温度下限値と比較する。検出した温度が温度下限値以下である場合、温度下限値を超えるまでヒータをＯＮにする。検出した温度が温度上限値以上である場合、温度上限値を下回るまでクーラをＯＮにする。
【００３５】
パンチ温度下限値Ｔ１、パンチ温度上限値Ｔ２、ダイ温度下限値Ｔ３、ダイ温度上限値Ｔ４は、ダイ側の温度センサ１７からの検出温度信号Ｔｄ、及びパンチ側温度センサ１９からの検出温度信号Ｔｐと、ダイ１１、パンチ１３の各々の成形面における寸法の関係から予め設定しておく。
【００３６】
流量調整部５３は、予め設定した、検出温度信号Ｔｄ、Ｔｐに対するポンプ流量（ダイ側流量Ｑｄ，パンチ側流量Ｑｐ）の値（便宜的にＴ−Ｑ線図と称する）を記憶しており、入力された検出温度信号Ｔｄ、Ｔｐにしたがってダイ側ポンプ７１とパンチ側ポンプ７３を駆動する。
【００３７】
Ｔ−Ｑ線図によれば、検出した温度が温度上限値より低く、温度下限値より高い値であれば、ポンプを一定流量で駆動させ、温度下限値以下、又は温度上限値以上の温度になったとき、その温度差が大きければ大きいほど流量を増すように設定する。Ｔ−Ｑ線図の流量の変化は、リニアに設定してもよく、段階的に変化するように設定してもよい。
【００３８】
図５は温度制御部２１の動作を説明するフローチャートである。
本構成の冷間プレス成形装置１００の電源がＯＮになったときをＳＴＡＲＴとする。ただし、冷間プレス成形装置１００の電源と温度制御部２１の電源が別電源の場合は、温度制御部２１の電源がＯＮになったときをＳＴＡＲＴとする。
【００３９】
ステップＳ１において、温度制御部２１は、ダイ側温度センサ１７及びパンチ側温度センサ１９により検出されたダイ１１の検出温度信号Ｔｄ及びパンチ１３の検出温度信号Ｔｐを入力する。ステップＳ２において、流量調整部５３が予め記憶しているＴ−Ｑ線図に基づいて、ダイ１１に供給する熱媒体のダイ側流量Ｑｄ、及びパンチ１３に供給する熱媒体のパンチ側流量Ｑｐを決定し、ダイ側ポンプ７１、パンチ側ポンプ７３に駆動信号を出力する。
【００４０】
次に、ステップＳ３において、パンチ１３の検出温度信号Ｔｐと予め設定されたパンチ１３のパンチ温度下限値Ｔ１とを比較して、Ｔｐ≦Ｔ１である場合には、ステップＳ４でパンチ側ヒータ６５をＯＮにして、パンチ１３に供給する熱媒体の温度を高める操作を行う。その後、後述するステップＳ９に移行する。一方、ステップＳ３でＴｐ＞Ｔ１である場合には、ステップＳ５でパンチ側ヒータ６５をＯＦＦにする。
【００４１】
次いで、ステップＳ６でパンチ１３の検出温度信号Ｔｐと予め設定されたパンチ１３のパンチ温度上限値Ｔ２とを比較して、Ｔｐ≧Ｔ２である場合には、ステップＳ７でパンチ側クーラ６７をＯＮにしてパンチ１３に供給する熱媒体の温度を下げる操作を行う。その後、後述するステップＳ９に移行する。一方、ステップＳ６でＴｐ＜Ｔ２である場合には、ステップＳ８でパンチ側クーラ６７をＯＦＦにする。
【００４２】
そして、ステップＳ９でダイ１１の検出温度信号Ｔｄと予め設定されたダイ１１のダイ温度下限値Ｔ３とを比較する。Ｔｄ≦Ｔ３である場合には、ステップＳ１０でダイ側ヒータ６１をＯＮにしてダイ１１に供給する熱媒体の温度を高める操作を行う。その後、ステップＳ１５に移行する。
一方、ステップＳ９でＴｄ＞Ｔ３である場合には、ステップＳ１１でダイ側ヒータ６１をＯＦＦにする。
【００４３】
次いで、ステップＳ１２でダイ１１の検出温度信号Ｔｄと予め設定されたダイ温度上限値Ｔ４とを比較する。Ｔｄ≧Ｔ４である場合には、ステップＳ１３でダイ側クーラ６３をＯＮにしてダイ１１に供給する熱媒体の温度を下げる操作を行う。その後、ステップＳ１５に移行する。
一方、ステップＳ１２でＴｄ＜Ｔ４である場合には、ステップＳ１４でダイ側クーラ６３をＯＦＦにする。
【００４４】
そして、ステップＳ１５で冷間プレス成形装置１００の電源あるいは温度制御部２１の電源のＯＮ／ＯＦＦを判別する。電源がＯＦＦではない、すなわち、電源がＯＮの状態であれば、ステップＳ１に戻り、制御を継続する。電源がＯＦＦであれば、ステップＳ１６でダイ側ヒータ６１、パンチ側ヒータ６５、及びダイ側クーラ６３、パンチ側クーラ６７を全てＯＦＦにし、ダイ側ポンプ７１及びパンチ側ポンプ７３を停止させて、熱媒体の温度制御手順を終了する。
【００４５】
上記した各工程により、本実施形態の冷間プレス成形装置１００においては、電源スイッチを入れたときからダイ１１、パンチ１３の温度測定を開始し、また、熱媒体をダイ１１、パンチ１３の内部にそれぞれ流入させるポンプを駆動開始する。ダイ１１、パンチ１３の温度が温度下限値以下であれば熱媒体を暖め、また、熱媒体の流量を増加させることにより、ダイ１１、パンチ１３の温度を上げる。ダイ１１、パンチ１３の温度が温度上限値以上であれば熱媒体を冷却し、また、熱媒体の流量を増加させることにより、ダイ１１、パンチ１３の温度を下げる。この制御を、冷間プレス成形装置１００の電源スイッチを切るまで続ける。このように、常にダイ１１、パンチ１３の温度が一定範囲内であるように制御する。
【００４６】
以上説明したように、本実施形態の冷間プレス成形装置１００及び冷間プレス成形方法によれば、ダイ１１及びパンチ１３の温度制御により、熱によるダイ１１、パンチ１３の変形を最小限に抑えられるので、寸法にばらつきの無い、高い寸法精度のプレス加工品を得ることができる。
また、本実施形態の冷間プレス成形装置１００及び冷間プレス成形方法によれば、ダイ１１及びパンチ１３の温度制御により、ダイ１１、パンチ１３の変形をコントロールすることができるので、狙った寸法のプレス加工品を得ることができる。
【００４７】
なお、本実施形態では、ダイ１１とパンチ１３の双方に温度センサを設けたが、いずれか一方の温度のみを測定し、その一方の測定温度を基に、ダイ１１とパンチ１３の両方の温度制御を行ってもよい。
また、本実施形態では、ダイ１１とパンチ１３の双方の温度制御を実施するが、図６に示すように、パンチ１３Ａを温度制御せず、ダイ１１のみを温度制御してもよい。また、図７に示すように、ダイ１１Ａは温度制御せず、パンチ１３のみを温度制御してもよい。
更には、パンチ１３の温度を測定し、その測定結果を基にダイ１１のみ温度制御を行ってもよい。また、ダイ１１の温度を測定し、その温度測定結果を基にパンチ１３のみ温度制御してもよい。
また、本実施形態では、熱媒体温度に応じて熱媒体流量を増減させるようにポンプを駆動するが、熱媒体流量を増減させず、ポンプを定速駆動させてもよい。
また、本実施形態では、パンチ１３に流入させる熱媒体と、ダイ１１に流入させる熱媒体とを個別に流量制御したが、双方を同じ流量に制御してもよい。
また、本実施形態では、パンチ１３に流入させる熱媒体と、ダイ１１に流入させる熱媒体を個別に温度制御したが、同じ温度に制御してもよい。
これらの温度制御は、本実施形態に比べると細かな温度制御が難しくなるが、要求される精度によっては、低コストで十分な効果が得られるので、有効な手段である。
【００４８】
本発明は上記の実施形態に限定されるものではなく、実施形態の各構成を相互に組合わせることや、明細書の記載、並びに周知の技術に基づいて、当業者が変更、応用することも本発明の予定するところであり、保護を求める範囲に含まれる。
【００４９】
本構成の冷間プレス成形装置は、例えばシェル型自動車用軸受等、種々の軸受のプレス加工に使用できる。
【００５０】
本出願は２０１７年９月１日出願の日本国特許出願（特願２０１７−１６８３１７）に基づくものであり、その内容はここに参照として取り込まれる。
【符号の説明】
【００５１】
１１，１１Ａ  ダイ
１３，１３Ａ  パンチ
１７  ダイ側温度センサ（温度センサ）
１９  パンチ側温度センサ（温度センサ）
２１  温度制御部
２５ａ  ダイ側熱媒体供給流路
２５ｂ  パンチ側熱媒体供給流路
２５ｃ  ダイ側熱媒体回収流路
２５ｄ  パンチ側熱媒体回収流路
２６  ダイ側流路（熱媒体流路）
２８  パンチ側流路（熱媒体流路）
６１  ダイ側ヒータ（温度調整部）
６３  ダイ側クーラ（温度調整部）
６５  パンチ側ヒータ（温度調整部）
６７  パンチ側クーラ（温度調整部）
７１  ダイ側ポンプ（温度調整部）
７３  パンチ側ポンプ（温度調整部）
１００  冷間プレス成形装置
Ｗ  被加工材
【図１】
2019044764.tif 000004
【図２】
2019044764.tif 000005
【図３】
2019044764.tif 000006
【図４】
2019044764.tif 000007
【図５】
2019044764.tif 000008
【図６】
2019044764.tif 000009
【図７】
2019044764.tif 000010
【図８】
2019044764.tif 000011
【国際調査報告】
2019044764.tif 000012
2019044764.tif 000013